(57)【要約】【課題】ランプ点弧時にｋＶオーダーの高電圧を要する放電ランプを使用する投射型映像表示装置では、ランプユニット内のランプメモリにランプの情報等を記憶し、定期的にアクセスを行なって、使用時間等のデータの更新を行うが、この場合、ランプ点弧時に大きな電源ノイズが発生し、この電源ノイズが原因でこのランプメモリの内容が消失または破壊されるという問題がある。【解決手段】放電ランプ１２を点弧処理する際に、この放電ランプ１２に関する情報を記憶するランプメモリ１３の電源をオフ状態とし、点弧処理時の電源ノイズによって、ランプメモリ１３の記憶内容が消失または破壊されるのを防ぐ。【選択図】        図１
2004341008.tif 000002
【特許請求の範囲】
【請求項１】
点弧時に高電圧を要する放電ランプを使用した光学エンジンによって、入力して信号処理した映像信号をスクリーン上に映像化する投射型映像表示装置において、
前記放電ランプを含むランプユニット内にあって、前記放電ランプに関する情報を記憶する記憶手段と、
該記憶手段に対する前記情報の書込み及び読出しを行なうと共に、前記記憶手段への電源の供給及び前記放電ランプの点弧処理を制御する制御手段と
を有し、
前記制御手段が、少なくとも前記放電ランプ点弧処理時において、前記記憶手段の電源をオフ状態とすることを特徴とする投射型映像表示装置。
【請求項２】
前記制御手段が、前記放電ランプの点灯後に前記記憶手段の電源をオンし、前記記憶手段に対する前記情報の読出し及び／叉は書込みを行うことを特徴とする請求項１記載の投射型映像表示装置。
【請求項３】
前記制御手段が、前記放電ランプの点弧処理の前後において、前記記憶手段の電源をオンし、前記記憶手段に対する前記情報の読出し及び／叉は書込みを行なうことを特徴とする請求項１記載の投射型映像表示装置。
【請求項４】
前記制御手段が、前記記憶手段に対する前記情報の読出し及び／叉は書込みを必要とする期間のみ、前記記憶手段の電源をオンすることを特徴とする請求項１記載の投射型映像表示装置。
【請求項５】
点弧時に高電圧を要する放電ランプを使用した光学エンジンによって、入力して信号処理した映像信号をスクリーン上に映像化する投射型映像表示装置における前記放電ランプに関する情報の記憶方法であって、
前記放電ランプの点弧前に前記情報を記憶する記憶手段の電源をオフ状態とする第１のステップと、
該第１のステップの後、前記放電ランプの点弧処理を行なう第２のステップと、
該第２のステップの後、前記放電ランプの点灯後に前記記憶手段の電源をオンし、前記記憶手段に対する前記情報の読出し及び／叉は書込みを行う第３のステップと
を有することを特徴とする投射型映像表示装置における放電ランプ情報の記憶方法。
【請求項６】
点弧時に高電圧を要する放電ランプを使用した光学エンジンによって、入力して信号処理した映像信号をスクリーン上に映像化する投射型映像表示装置における前記放電ランプに関する情報の記憶方法であって、
前記放電ランプの点弧前に前記情報を記憶する記憶手段の電源をオンし、該記憶手段に対する前記情報の読出し及び／叉は書込みを行う第１のステップと、
該第１のステップの後、前記記憶手段の電源をオフし、前記放電ランプの点弧処理を行なう第２のステップと、
該第２のステップの後、前記放電ランプの点灯後に前記記憶手段の電源をオンし、前記記憶手段に対する前記情報の読出し及び／叉は書込みを行う第３のステップと
を有することを特徴とする投射型映像表示装置における放電ランプ情報の記憶方法。
【請求項７】
点弧時に高電圧を要する放電ランプを使用した光学エンジンによって、入力して信号処理した映像信号をスクリーン上に映像化する投射型映像表示装置における前記放電ランプに関する情報の記憶方法であって、
前記放電ランプ情報を記憶する記憶手段に対する前記情報の読出し及び／叉は書込みを必要とする期間のみ、前記記憶手段の電源をオンすることを特徴とする投射型映像表示装置における放電ランプ情報の記憶方法。
【発明の詳細な説明】
【０００１】
【発明の属する技術分野】
本発明は、投射型映像表示装置に関し、特に、点弧時に高電圧を要する放電ランプを使用した投射型映像表示装置、及びその放電ランプ情報の記憶方法に関する。
【０００２】
【従来の技術】
従来、この種の投射型映像表示装置として、例えば以下のようなものが提案されている。即ち、制御回路は、照明ランプを点灯する前にランプユニット内のランプメモリからシリアルナンバーを読み出し、照明ランプを点灯するごとに、点灯後１０分のランプの端子電圧を検出する。さらに制御回路は、検出した端子電圧をシリアルナンバーとともにランプメモリに記憶する。そして制御回路がランプユニットの寿命判断を行うとき、点灯後１０分の端子電圧と、ランプメモリにシリアルナンバーと記憶されている端子電圧との差を求める。更に、制御回路は、端子電圧の差がランプメモリに記憶されている端子電圧の情報より小さい場合に、ランプユニットが寿命であると判断する（例えば、特許文献１参照）。
【０００３】
【特許文献１】
特開２００２―１２２９４０号公報（第１頁、図４）
【０００４】
【発明が解決しようとする課題】
上記のような従来の投射型映像表示装置では、ランプユニット内のランプメモリにシリアル番号、端子電圧等の情報を書き込んでおき、この情報をもとにランプ寿命を判断している。しかし、通常、投射型映像表示装置では、ランプユニットに、点弧時にｋＶオーダーの高電圧を要する放電ランプを使用しているため、ランプ点弧時に投射型映像表示装置全体に大きな電源ノイズが発生し、この電源ノイズが原因となって、ランプユニット内にあるランプメモリの内容が消失或いは破壊されるという問題があった。
【０００５】
本発明の目的は、上述のような課題を解消し、ランプ点弧時の電源ノイズによって、ランプメモリの誤動作が発生することのない投射型映像表示装置を提供することにある。
【０００６】
【課題を解決するための手段】
本発明による投射型映像表示装置は、
点弧時に高電圧を要する放電ランプを使用した光学エンジンによって、入力して信号処理した映像信号をスクリーン上に映像化する投射型映像表示装置において、
前記放電ランプを含むランプユニット内にあって、前記放電ランプに関する情報を記憶する記憶手段と、該記憶手段に対する前記情報の書込み及び読出しを行なうと共に、前記記憶手段への電源の供給及び前記放電ランプの点弧処理を制御する制御手段とを有し、
前記制御手段が、少なくとも前記放電ランプ点弧処理時において、前記記憶手段の電源をオフ状態とすることを特徴とする。
【０００７】
また、本発明による投射型映像表示装置における放電ランプ情報の記憶方法は、  点弧時に高電圧を要する放電ランプを使用した光学エンジンによって、入力して信号処理した映像信号をスクリーン上に映像化する投射型映像表示装置における前記放電ランプに関する情報の記憶方法であって、
前記放電ランプの点弧前に前記情報を記憶する記憶手段の電源をオフ状態とする第１のステップと、該第１のステップの後、前記放電ランプの点弧処理を行なう第２のステップと、該第２のステップの後、前記放電ランプの点灯後に前記記憶手段の電源をオンし、前記記憶手段に対する前記情報の読出し及び／叉は書込みを行う第３のステップと
を有することを特徴とする。
【０００８】
また、別の発明による投射型映像表示装置における放電ランプ情報の記憶方法は、点弧時に高電圧を要する放電ランプを使用した光学エンジンによって、入力して信号処理した映像信号をスクリーン上に映像化する投射型映像表示装置における前記放電ランプに関する情報の記憶方法であって、
前記放電ランプの点弧前に前記情報を記憶する記憶手段の電源をオンし、該記憶手段に対する前記情報の読出し及び／叉は書込みを行う第１のステップと、該第１のステップの後、前記記憶手段の電源をオフし、前記放電ランプの点弧処理を行なう第２のステップと、該第２のステップの後、前記放電ランプの点灯後に前記記憶手段の電源をオンし、前記記憶手段に対する前記情報の読出し及び／叉は書込みを行う第３のステップと
を有することを特徴とする。
【０００９】
更に、別の発明による投射型映像表示装置における放電ランプ情報の記憶方法は、点弧時に高電圧を要する放電ランプを使用した光学エンジンによって、入力して信号処理した映像信号をスクリーン上に映像化する投射型映像表示装置における前記放電ランプに関する情報の記憶方法であって、
前記放電ランプ情報を記憶する記憶手段に対する前記情報の読出し及び／叉は書込みを必要とする期間のみ、前記記憶手段の電源をオンすることを特徴とする。
【００１０】
【発明の実施の形態】
実施の形態１．
図１は、本発明による実施の形態１の投射型映像表示装置１の要部構成を示すブロック図である。
【００１１】
同図において、Ａ／Ｄ変換器２は映像信号ＩＮＰＲを入力し、その出力部が信号変換回路３の入力部に接続されている。信号変換回路３の出力部は駆動回路４の入力部に接続され、駆動回路４の出力部は液晶パネル９ａを含む光学系の光学エンジン９の入力部及びランプ電源６の入力部に接続されている。ランプ電源６の電源供給部はランプユニット８を構成する放電ランプ１２に電源を供給し、電源スイッチ７はランプユニット８を構成するランプメモリ１３の電源をオン・オフするスイッチである。
【００１２】
制御回路５には、Ａ／Ｄ変換器２、信号変換器３、駆動回路４、ランプ電源６、電源スイッチ７、ランプメモリ１３及びメモリ１１との各間で、これ等の動作を制御し、或いはデータの入出を行なうための信号経路が形成されている。そして光学エンジン９によって、信号処理された映像信号がスクリーン１０上に投射されるように構成されている。スイッチパネル１５には、操作者によって操作される図示しないメインスイッチ、ランプ点灯指示スイッチ、ランプ消灯指示スイッチ等が配設され、これらの操作情報が制御回路５に送られる。
【００１３】
尚、以上の構成において、制御回路５、ランプ電源６、及び電源スイッチ７が制御手段に相当し、ランプメモリ１３が記憶手段に相当する。
【００１４】
以上の構成による投射型映像表示装置において、各部の動作について以下に説明する。
【００１５】
投射型映像表示装置１に入力される映像信号ＩＮＰＲは、Ａ／Ｄ変換器２に入力され、Ａ／Ｄ変換された後に信号変換回路３に出力される。信号変換回路３では、この入力信号に対して、投射型映像表示で表示できるスクリーン解像度への拡大縮小変換、及びＯＳＤ（Ｏｎ  Ｓｃｒｅｅｎ  Ｄｉｓｐｌａｙ）等の信号処理を行なった後、駆動回路４に出力する。駆動回路４では、光学エンジン９内にある液晶パネル９ａを駆動するパネル駆動信号ＤＲＬＩを発生すると共に、ランプ電源６を駆動する電源駆動信号を発生する。
【００１６】
ランプユニット８内にある放電ランプ１２は、その点灯がランプ電源６によって制御され、前記駆動回路４から出力されたパネル駆動信号ＤＲＬＩが液晶パネル９ａによって映像化された投射映像ＰＲＯＰを、光学エンジン９を通してスクリーン１０上に投影する。また、ランプユニット８内にはランプメモリ１３があり、放電ランプ１２のシリアル番号、ランプ点灯時間、ランプの輝度データ等が記憶されている。
【００１７】
ランプメモリ１３は、例えばＥＥＰＲＯＭ（ｅｌｅｃｔｒｉｃａｌｌｙ  ｅｒａｓａｂｌｅ  ａｎｄ  ｐｒｏｇｒａｍｍａｂｌｅ  ＲＯＭ）で構成されており、データの書き込み、読み出し制御に関しては、制御回路５によって、Ｉ２Ｃバス１４を介して制御される。また、ランプメモリ１３の電源は、電源スイッチ７をオン・オフすることによって制御される。一方、制御回路５は、例えばマイコンで構成されており、Ａ／Ｄ変換器２、信号変換回路３、駆動回路４、ランプ電源６、電源スイッチ７及びランプメモリ１３の制御を行うと共に、内蔵するランプライマによって放電ランプ１２の点灯時間を計測する。
【００１８】
メモリ１１には、Ａ／Ｄ変換器２、信号変換回路３、駆動回路４、ランプ電源６、電源スイッチ７及びランプメモリ１３の制御に必要な設定情報が保存されており、制御回路５は、メモリ１１に保存されているこれ等の設定情報を参照して上記各ブロックの制御を行なう。また、Ａ／Ｄ変換器２、信号変換回路３等の設定情報が変更された場合も、これ等の変更された設定情報をメモリ１１に保存し直す。
【００１９】
図２は、本実施の形態１の投射型映像表示装置１の動作の流れ示すフローチャートであり、このフローチャートに基づいて、図１を参照しながら投射型映像表示装置１の動作について、更に以下に説明する。
【００２０】
操作者によって、スイッチパネル１５に配設された図示しないメインスイッチがオンされると（ステップ（以後Ｓと記す）１０１）、投射型映像表示装置１は、制御回路５が稼動してスタンバイ状態となる。このスタンバイ状態において、スイッチパネル１５に配設された図示しないランプ点灯指示スイッチの操作によるランプ点灯指示を確認すると（Ｓ１０２）、制御回路５は、Ａ／Ｄ変換器２、信号変換回路３、及び駆動回路４の各信号処理回路の電源をオンすると共に、各信号処理回路の初期設定を行う（Ｓ１０３）。
【００２１】
そして、制御回路５は、ランプ電源６に対して放電ランプ１２の点弧指示を行い、ランプ電源６が放電ランプ１２の点弧を行う。また、ランプ電源６は放電ランプ１２のオン・オフ状態を示すフラグを制御回路５に出力する。制御回路５は、ランプ電源６から出力される前記フラグにより、実際に放電ランプ１２が点灯しているか否かを確認し、不点灯の場合には放電ランプ１２の点灯が確認されるまでランプ点弧動作を繰り返す。但し、ランプ点弧動作を予め決められた回数行っても放電ランプ１２の点灯に成功しない場合は、ランプ切れ（エラー）と判断してランプ点弧を中止する（Ｓ１０４，１０５）。
【００２２】
放電ランプ１２の点灯が確認されると、制御回路５は、電源スイッチ７を制御してランプメモリ１３の電源をオンにし（Ｓ１０６）、放電ランプ１２のシリアル番号をランプメモリ１３から読み出す（Ｓ１０７）。
【００２３】
ここで、ランプユニット８が交換等された場合、制御回路５は、ランプメモリ１３から読み出した新たな放電ランプ１２のシリアル番号と、メモリ１１内に記憶してある以前の放電ランプ１２のシリアル番号が一致しないため、交換後の新たなランプユニット８のランプメモリ１３から放電ランプ１２のランプ点灯時間、ランプの輝度データ等を読み出してメモリ１１のデータを書き換えると共に、制御回路５内のランプタイマの値を、新たなランプメモリ１３から読み出した値にセットする。
【００２４】
但し、ランプメモリ１３から読み出した放電ランプ１２のシリアル番号とメモリ１１内に記憶してある放電ランプのシリアル番号が一致する場合は、特にランプメモリ１３からこれ以上データの読み出しは行わず、制御回路５内のランプタイマ値も変更しない。
【００２５】
また、一旦ランプが点灯した後は、スイッチパネル１５に配設された図示しないランプ消灯指示スイッチの操作によるランプ点灯指示が入力されるまでの間、一定時間毎に制御回路５内のランプタイマで計測し、加算した延べのランプ点灯時間等のデータを定期的にランプメモリ１３に対して更新保存する（Ｓ１０８，１０９）。ここでランプ消灯指示が確認されると、制御回路５は、ランプタイマで計測した前記ランプ点灯時間等の情報をランプメモリ１３に保存し（Ｓ１１０）、その後、ランプメモリ電源のオフ、ランプ消灯、各信号処理回路の電源のオフの順で各部の稼動状態を終了させ（Ｓ１１１）、一連の動作を終了する（Ｓ１１２）。
【００２６】
以上のように、本実施の形態１による投射型映像表示装置１の動作では、例えば３８０Ｖ仕様の放電ランプを使用した場合のように、ｋＶオーダーの高電圧がかかるランプ点弧処理を実行した後に、ランプメモリ１３の電源をオンにするようにしている。
【００２７】
尚、上記実施の形態では、ランプ消灯時に、ステップ１１０においてランプメモリの情報を更新した後、ステップ１１１でランプメモリ１３の電源をオフにしてからランプ消灯しているが、このランプ消灯時に関しては、電源に大きなノイズは発生しないため、先にランプ消灯を行った後にランプメモリ１３の情報を更新し、その後、ランプメモリ１３の電源をオフにするように制御を行っても構わない。
【００２８】
以上のように、本実施の形態１による投射型映像表示装置の動作によれば、高電圧がかかるランプ点弧処理を実行した後に、ランプユニット８内のランプメモリ１３の電源をオンにするようにしているので、ランプ点弧時に電源及び信号ラインに対して大きなノイズが混入するようなことがあっても、このノイズによってランプメモリ１３の内容が消失、破壊されることがなく、投射型映像表示装置の制御を安定して行なうことができる。
【００２９】
実施の形態２．
図３は、本実施の形態２による、投射型映像表示装置の動作の流を示すフローチャートであり、このフローチャートを参照しながら、本実施の形態の投射型映像表示装置の動作について、以下に説明する。
【００３０】
尚、本実施の形態２の動作を実行する投射型映像表示装置は、構成的に前記した図１の投射型映像表示装置１と同一で、制御回路５による動作処理の内容が異なるものであるため、同図の投射型映像表示装置１によって本実施の形態の動作が実行されるものとして、この図１に示す投射型映像表示装置１を参照しながら以下に説明する。
【００３１】
操作者によって、スイッチパネル１５に配設された図示しないメインスイッチがオンされると（Ｓ２０１）、投射型映像表示装置１は、制御回路５が稼動してスタンバイ状態となる。このスタンバイ状態において、スイッチパネル１５に配設された図示しないランプ点灯指示スイッチの操作によるランプ点灯指示を確認すると（Ｓ２０２）、制御回路５は、Ａ／Ｄ変換器２、信号変換回路３、及び駆動回路４の各信号処理回路の電源をオンすると共に、各信号処理回路の初期設定を行い、更にこれと同時に電源スイッチ７を制御してランプメモリ１３の電源をオンする（Ｓ２０３）。
【００３２】
次に、放電ランプ１２のシリアル番号をランプメモリ１３から読み出すが（Ｓ２０４）、このデータ読み出し時の制御回路５の動作に関しては、前記した図２に示す実施の形態１のフローでのステップ１０７で説明した動作と同等のため、ここでの説明を省略する。ランプメモリ１３からのデータ読み出しが完了した時点で、ランプメモリ１３の電源をオフする（Ｓ２０５）。ランプメモリ１３の電源がオフされた後に、ステップ２０６、２０７においてランプの点弧処理を行うが、このランプ点弧に関しては上記実施の形態１のステップ１０４、１０５と同等のため説明を省略する。
【００３３】
放電ランプ１２の点灯が確認されると、制御回路５は、電源スイッチ７を制御してランプメモリ１３の電源をオンにする（Ｓ２０８）。こうして一旦放電ランプ１２が点灯してランプメモリ１３の電源をオンした後は、上記実施の形態１のステップ１０８、１０９の場合と同様に、スイッチパネル１５に配設された図示しないランプ消灯指示スイッチの操作によるランプ点灯指示が入力されるまでの間、一定時間毎に制御回路５内のランプタイマで計測し、加算した延べのランプ点灯時間等のデータを定期的にランプメモリ１３に対して更新保存する（Ｓ２０９，２１０）。
【００３４】
ここでランプ消灯指示が確認されると、制御回路５は、ランプタイマで計測した前記ランプ点灯時間等の情報をランプメモリ１３に保存し（Ｓ２１１）、その後、ランプメモリ電源のオフ、ランプ消灯、各信号処理回路の電源のオフの順で各部の稼動状態を終了させ（Ｓ２１２）、一連の動作を終了する（Ｓ２１３）。
【００３５】
以上のように、本実施の形態２による投射型映像表示装置の動作では、放電ランプ１２の点弧処理を実行する前に、一旦ランプメモリ１３の電源をオンしてランプメモリ１３から必要な情報を読み出した後にその電源をオフにした後、ランプ点弧処理するようにしている。
【００３６】
尚、本実施の形態では、ランプメモリ１３からのデータ読み出しは、ステップ２０２でのランプ点灯指示が行われた後に行っているが、ステップ２０１のメインスイッチがオンされた後に、ランプ点灯指示が行われる前にランプメモリ１３の電源をオンしてランプメモリ１３から情報を読み出し、ランプ点弧処理の前にランプメモリ１３の電源をオフするように制御を行っても構わない。
【００３７】
以上のように、本実施の形態２による投射型映像表示装置の動作によれば、ランプメモリ１３の電源をオフした状態で、高電圧がかかる放電ランプ１２の点弧処理を実行するため、放電ランプ１２の点弧時のノイズによってランプメモリ１３の内容が消失、破壊されることがなく、投射型映像表示装置の制御を安定して行なうことができる。
【００３８】
また、ステップ２０７においてランプ点灯に失敗した場合でも、ランプ点弧処理を行う前にランプメモリ１３に保存してある放電ランプ１２のシリアル番号、ランプ点灯時間、ランプの輝度データ等の情報を読み出しているため、これらの情報をランプ点弧失敗時のエラー情報として認識することが可能になる。
【００３９】
実施の形態３．
図４は、本実施の形態３による、投射型映像表示装置の動作の流を示すフローチャートであり、このフローチャートを参照しながら、本実施の形態の投射型映像表示装置の動作について、以下に説明する。
【００４０】
尚、本実施の形態３の動作を実行する投射型映像表示装置は、構成的に前記した図１の投射型映像表示装置１と同一で、制御回路５による動作処理の内容が異なるものであるため、同図の投射型映像表示装置１によって本実施の形態の動作が実行されるものとして、この図１に示す投射型映像表示装置１を参照しながら以下に説明する。
【００４１】
操作者によって、スイッチパネル１５に配設された図示しないメインスイッチがオンされると（Ｓ３０１）、本投射型映像表示装置１は、制御回路５が稼動してスタンバイ状態となる。このステップ３０１でのメインスイッチの確認からステップ３０７のランプ点灯の確認までの動作は、前記した図３に示す実施の形態２のフローでのステップ２０１からステップ２０７までの動作と全く同じであるため、ここではその説明を省略する。
【００４２】
ステップ３０７において、放電ランプ１２の点灯が確認されると、制御回路５は、ステップ３０８からステップ３１２までの処理において、スイッチパネル１５に配設された図示しないランプ消灯指示スイッチの操作によるランプ点灯指示が入力されるまでの間、一定時間毎に制御回路５内のランプタイマで計測し、加算した延べのランプ点灯時間等のデータを定期的にランプメモリ１３に対して更新保存する。
【００４３】
即ち、ステップ３０８で所定時間の経過が確認されると、その時点で電源スイッチ７を制御してランプメモリ１３の電源をオンにし（Ｓ３０９）、前記ランプ点灯時間等のデータをランプメモリ１３に対して更新保存し（Ｓ３１０）、このデータの更新が完了した時点でランプメモリ１３の電源をオフとする（Ｓ３１１）。このステップ３０８からステップ３１１までの動作は、ステップ３１２においてスイッチパネル１５に配設された図示しないランプ消灯指示スイッチの操作によるランプ点灯指示の入力が確認されるまでの間、繰り返し実行される。
【００４４】
ステップ３１２でランプ消灯指示の入力が確認されると、制御回路５は、ランプメモリ１３の電源をオンし（Ｓ３１３）、前記ランプ点灯時間等の情報をランプメモリ１３に保存し（Ｓ３１４）、その後、ランプメモリ電源のオフ、ランプ消灯、各信号処理回路の電源のオフの順で各部の稼動状態を終了させ（Ｓ３１５）、一連の動作を終了する（Ｓ３１６）。
【００４５】
以上のように、本実施の形態３による投射型映像表示装置の動作では、ランプメモリ１３にデータアクセスを行う必要がある期間のみランプメモリ１３の電源をオンし、メモリアクセスがない期間はランプメモリ１３の電源をオフするようにしている。
【００４６】
以上のように、本実施の形態３による投射型映像表示装置の動作によれば、ランプメモリ１３にデータアクセスを行うときのみ、その電源をオンとするようにしているので、放電ランプ１２の点弧時のノイズによってランプメモリ１３の内容が消失、破壊されることがないだけでなく、瞬間停電等によりランプ再点弧が発生した場合でも点弧ノイズによりランプメモリ１３のデータ消失、破壊が発生しないため、投射型映像表示装置の制御を常に安定して行なうことができる。
【００４７】
尚、前記した各実施の形態では、光学エンジン９で液晶パネル９ａを採用したが、これに限定されるものではなく、例えばＤＭＤ（Ｄｉｇｉｔａｌ  Ｍｉｒｒｏｒ  Ｄｅｖｉｃｅ）を用いても良いなど、本発明は、種々の態様を取りえるものである。
【００４８】
【発明の効果】
本発明によれば、高電圧を要する放電ランプの点弧時に、放電ランプに関する情報を記憶する記憶手段の電源が切られるため、ランプ点弧時に電源及び信号ラインに対して大きなノイズが混入するようなことがあっても、このノイズによって記憶手段の内容が消失、破壊されることがなく、投射型映像表示装置の制御を安定して行なうことができる。
【図面の簡単な説明】
【図１】本発明による実施の形態１の投射型映像表示装置１の要部構成を示すブロック図である。
【図２】実施の形態１の投射型映像表示装置１の動作の流れ示すフローチャートである。
【図３】本実施の形態２による、投射型映像表示装置の動作の流を示すフローチャートである。
【図４】本実施の形態３による、投射型映像表示装置の動作の流を示すフローチャートである。
【符号の説明】
１  投射型映像表示装置、  ２  Ａ／Ｄ変換器、  ３  信号変換回路、  ４  駆動回路、  ５  制御回路、  ６  ランプ電源、  ７  電源スイッチ、  ８  ランプユニット、  ９  光学エンジン、  ９ａ  液晶パネル、  １０  スクリーン、  １１  メモリ、  １２  放電ランプ、  １３  ランプメモリ、  １４  Ｉ２Ｃバス、  １５  スイッチパネル。
【図１】
2004341008.tif 000003
【図２】
2004341008.tif 000004
【図３】
2004341008.tif 000005
【図４】
2004341008.tif 000006